(57)【要約】      （修正有）【課題】安価に製造することができ、しかもフィルタ性能にも優れたドーナツ状のフィルタを提供する。【解決手段】複数の円弧状スリットが法線方向および周方向に規則的な配置に設けられたドーナツ状のシート材１が素材として用いられ、複数の円弧状スリットを六角形セル５０の開口部とするように、シート材１を周方向および法線方向の双方に複数箇所で折り返すことによって、シート材１がハニカム構造をもつ立体的なドーナツ状に組み立てられ、ハニカム構造を構成する複数の壁部には、最内周のセルの内側から最外周のセルの外側までの通気性を得るための複数の孔部１３が設けられている。【選択図】図３
2014069765.tif 000002
【特許請求の範囲】
【請求項１】
複数の円弧状スリットが法線方向および周方向に規則的な配置に設けられたドーナツ状のシート材が素材として用いられ、
前記複数の円弧状スリットを六角形セルの開口部とするように、前記シート材を周方向および法線方向の双方に複数箇所で折り返すことによって、前記シート材がハニカム構造をもつ立体的なドーナツ状に組み立てられ、
前記ハニカム構造を構成する壁部には、最内周のセルの内側から最外周のセルの外側までの通気性を得るための複数の孔部が設けられていることを特徴とする、フィルタ。
【発明の詳細な説明】
【技術分野】
【０００１】
本発明は、たとえばエアバッグ装置の構成部品であるディスクタイプのインフレータのガス発生材の周囲に配置して用いるといった用途に好適なフィルタに関する。
【背景技術】
【０００２】
エアバッグ装置のディスクタイプのインフレータにおいては、膨張用ガスは、ガス発生材の周囲に噴出される。このようなガスから残渣を取り除くには、ガス発生材の周囲の全周を覆うように、フィルタを配置することが望まれる。
このための一例として、たとえば特許文献１には、複数の貫通孔が設けられた板材を重ね巻き状とした巻き板タイプのフィルタが開示されている。このようなフィルタによれば、ガスが重ね巻き状の板部に衝突しながら貫通孔を順次通過していくため、ラビリンス効果により、前記ガス中の残渣を取り除くことができる。また、前記ガスを冷却する効果も期待できる。
【０００３】
しかしながら、前記従来技術のフィルタは、複数の貫通孔が設けられた板材を巻いたものであるために、部位によっては貫通孔のレイアウトが他の部分と異なったものとなる。このようなことは、残渣の捕集・残留具合に偏りを生じるばかりか、ガスの流れ具合に偏りを生じさせる要因にもなり、余り望ましいものではない。
このような不具合を解消する手段として、フィルタをハニカム構造にすることが考えられる。ところが、ハニカム構造をもつフィルタをドーナツ形状に形成することは容易でない。たとえば、ハニカム構造に成形されたものをドーナツ状に切り出す手段を採用したのでは、そのコストは高く、無駄も多い。また、ハニカム構造をもつ帯状体を湾曲させてドーナツ状にすることも考えられるが、このような手段では、ハニカム構造が崩れてしまう。
【先行技術文献】
【特許文献】
【０００４】
【特許文献１】特開２０１２−１４４０７２号公報
【発明の概要】
【発明が解決しようとする課題】
【０００５】
本発明は、前記したような事情のもとで考え出されたものであり、安価に製造することができ、しかもフィルタ性能にも優れたドーナツ状のフィルタを提供することを、その課題としている。
【課題を解決するための手段】
【０００６】
上記の課題を解決するため、本発明では、次の技術的手段を講じている。
【０００７】
本発明により提供されるフィルタは、複数の円弧状スリットが法線方向および周方向に規則的な配置に設けられたドーナツ状のシート材が素材として用いられ、前記複数の円弧状スリットを六角形セルの開口部とするように、前記シート材を周方向および法線方向の双方に複数箇所で折り返すことによって、前記シート材がハニカム構造をもつ立体的なドーナツ状に組み立てられ、前記ハニカム構造を構成する複数の壁部には、最内周のセルの内側から最外周のセルの外側までの通気性を得るための複数の孔部が設けられていることを特徴としている。
【０００８】
このような構成によれば、次のような効果が得られる。
第１に、本発明のフィルタは、シート材を素材とし、これを折り返すことにより構成されているために、そのコストをかなり低減することが可能である。
第２に、ハニカム構造は、その形状安定性が高く、強度を高くできる構造であるため、素材としてシート材を利用しているものの、充分な耐久性をもたせることができる。シート材を立体的に組み立てるための手段として、シート材をドーナツ状とし、また複数の円弧状スリットを規則的に設けているが、このようなスリットが設けられたシート材を用いているが故に、フィルタの各部に大きな歪みなども生じないように製作することができる。
第３に、ハニカム構造を採用すれば、フィルタ性能を高めることも可能である。また、周方向においてガス通気量を均一にすることも容易に達成することができる。
【０００９】
本発明のその他の特徴および利点は、添付図面を参照して以下に行なう発明の実施の形態の説明から、より明らかになるであろう。
【図面の簡単な説明】
【００１０】
【図１】（ａ）は、本発明に係るフィルタの製作に用いられるシート材の一例を示す平面図であり、（ｂ）は、（ａ）のＩｂ−Ｉｂ断面図である。
【図２】（ａ）は、図１のシート材を用いて組み立てたハニカム構造の要部斜視図であり、(ｂ)は、その組み立て途中状態の一部破断要部斜視図である。
【図３】（ａ）は、本発明に係るフィルタの使用例を示し、（ａ）は分解斜視図であり、（ｂ）は要部平面断面図である。
【発明を実施するための形態】
【００１１】
以下、本発明の好ましい実施の形態について、図面を参照して具体的に説明する。
【００１２】
図３において、本実施形態のフィルタＦは、全体の概略形状がドーナツ状であり、ハニカム構造をもつ。このフィルタＦは、エアバッグ装置のインフレータの筐体８０内に組み込まれて使用される。より具体的には、筐体８０内の中央部には、プロペラント７１を収容し、通気孔７０を有するカップ７が収容されており、このカップ７の周囲にフィルタＦが配される。フィルタＦの厚みを薄くし、２つのフィルタＦを重ねて使用するようにしてもかまわない。
【００１３】
フィルタＦは、図１に示すシート材１を折り曲げることにより形成されたものである。このシート材１は、金属製であり、中央に円形孔１０を有する中空円板状（ドーナツ状）である。
【００１４】
シート材１には、法線方向に延びる複数の折り曲げ線Ｌ１，Ｌ２が等角度間隔で形成されている。図面において、破線で示す折り曲げ線Ｌ１は、谷折り線であり、連続線で示す折り曲げ線Ｌ２は、山折り線である。これら折り曲げ線Ｌ１，Ｌ２は、シート材１の周方向において、同じ種類の折り曲げ線が２本ずつ交互に並ぶ配列となっている。なお、これらの折り曲げ線Ｌ１，Ｌ２や、後述する他の折り曲げ線、円弧状スリット１２、孔部１３は、シート材１の外形をプレス加工によって打ち抜く際に同時に形成することが可能である。
【００１５】
シート材１には、複数の円弧状スリット１２（図１の太線で示す）が規則的な配置で設けられている。これら複数の円弧状スリット１２は、シート材１と同心の複数の円の円周Ｃ１〜Ｃ４上に等角度間隔で位置するように設けられている。各円弧状スリット１２の曲率半径は、円周Ｃ１〜Ｃ４の円弧と一致するものとなっている。各円弧状スリット１２の長さは、折り曲げ線Ｌ１，Ｌ２の３ピッチ分であり、周方向における円弧状スリット１２どうしの間隔は、折り曲げ線Ｌ１，Ｌ２の１ピッチ分に相当している。なお、法線方向に
おいて、複数の円弧状スリット１２は、折り曲げ線Ｌ１，Ｌ２の１ピッチ分だけ交互に位置ずれしており、最内周の円弧状スリット１２と最内周から３列目の円弧状スリット１２は、周方向の位置が一致し、最内周から２列目と４列目の円弧状スリット１２も周方向の位置が一致するようになっている。
【００１６】
同一円周上に位置する円弧状スリット１２どうしの間には、円弧状の折り曲げ線Ｔ１，Ｔ２が設けられている。連続線で示す折り曲げ線Ｔ１は、山折り線であり、破線で示す折り曲げ線Ｔ２は、谷折り線である。複数の孔部１３は、シート材１をドーナツ状に組み立てた際に通気用の孔部となる。
【００１７】
シート材１は、図２(ａ)に示すようなハニカム構造をもつドーナツ状のフィルタＦとして組み立てられる。同図(ｂ)は、その組み立て途中状態である。このような構造の組み立てに際しては、基本的には、円弧状スリット１２を大きく開口させて、この円弧状スリット１２をハニカム構造の六角形セル５０の開口部とする。具体的には、前記した山折り線や、谷折り線に沿ってシート材１に所定の曲げ加工を施せばよい。この作業では、シート材１を周方向および法線方向のいずれにも折り曲げていくこととなる。なお、符号ｎ２で示す部分は、シート材１の折り返し部分であり、符号ｎ１で示す部分は、折り返された部分どうしの重ね合わせ部分である。
【００１８】
図２に示すように、フィルタＦには複数の孔部１３が設けられているが、この孔部１３は、図３（ｂ）に示すように、プロペラント７１が燃焼してガスが発生した場合に、このガスをフィルタＦの最内周の六角形セル５０内を通過した後に、最外周の六角形セル５０に向けてその進行方向を順次変えながら、最終的には、筐体８０の外部に各所略均等に流出させるように設けられている。このような経路でガスを通過させれば、残渣除去に好ましく、フィルタ性能を高くすることができる。また、フィルタＦ内にガスを比較的長時間にわたって滞留させるように設定ことも可能であり、この場合にはガス冷却性能を高めることができる。
【００１９】
本実施形態のフィルタＦは、既述したように、シート材１を素材とし、これを折り返すことにより構成されているために、そのコストをかなり低減することが可能である。ハニカム構造は、その形状安定性が高く、強度を高くできる構造であるため、シート材１を利用してフィルタＦを構成しているものの、充分な耐久性をもたせることが可能である。
【００２０】
本発明は、上述した実施形態の内容に限定されない。本発明に係るフィルタの各部の具体的な構成は、本発明の意図する範囲内において種々に設計変更自在である。
本発明に係るフィルタは、エアバッグのインフレータ用に好適であるが、これに限定されず、種々の用途に用いることが可能である。
【符号の説明】
【００２１】
Ｆ  フィルタ
１  シート材
５０  六角形セル
【図１】
2014069765.tif 000003
【図２】
2014069765.tif 000004
【図３】
2014069765.tif 000005